(57)【要約】【課題】測定装置によって測定された測定値を入力する際の操作性を向上させる。【解決手段】測定装置１００との間で通信可能な通信部１２と、測定装置１００によって測定された被測定量の測定値についての測定データＤｄを通信部１２を介して入力する入力処理を実行する処理部１８と、撮像プログラムＰｉが起動されている状態において撮像を実行する撮像部１４と、撮像部１４によって撮像されている画像についての画像データＤｇを画像記憶操作がされたときに記憶部１６に記憶させる記憶制御部（処理部１８が記憶制御部として機能する）とを備え、処理部１８は、撮像プログラムＰｉを起動する起動操作がされたときに、入力処理を実行する。【選択図】図１
2018087792.tif 000002
【特許請求の範囲】
【請求項１】
測定装置との間で通信可能な通信部と、前記測定装置によって測定された被測定量の測定値を前記通信部を介して入力する入力処理を実行する処理部と、撮像用のアプリケーションプログラムが起動されている状態において撮像を実行する撮像部と、前記撮像部によって撮像されている画像を画像記憶操作がされたときに記憶部に記憶させる記憶制御部とを備えた携帯型端末装置であって、
前記処理部は、前記アプリケーションプログラムを起動する起動操作がされたときに、前記入力処理を実行する携帯型端末装置。
【請求項２】
測定装置との間で通信可能な通信部と、前記測定装置によって測定された被測定量の測定値を前記通信部を介して入力する入力処理を実行する処理部と、撮像用のアプリケーションプログラムが起動されている状態において撮像を実行する撮像部と、前記撮像部によって撮像されている画像を画像記憶操作がされたときに記憶部に記憶させる記憶制御部とを備えた携帯型端末装置であって、
前記処理部は、前記画像記憶操作がされたときに、前記入力処理を実行する携帯型端末装置。
【請求項３】
前記処理部は、前記入力処理において入力した前記測定値を前記画像記憶操作がされたときに前記記憶部に記憶させる請求項１または２記載の携帯型端末装置。
【請求項４】
前記処理部は、前記画像記憶操作がされたときに、前記測定値をホールドするホールド状態に移行させるホールド指示信号を前記測定装置に出力すると共に、前記測定装置によってホールドされている前記測定値を前記入力処理において入力して前記記憶部に記憶させる請求項３記載の携帯型端末装置。
【請求項５】
前記処理部は、前記ホールド状態の解除を指示するホールド解除信号を前記画像記憶操作がされたときに前記ホールド指示信号の出力に先立って前記測定装置に出力する請求項４記載の携帯型端末装置。
【請求項６】
表示部と、当該表示部を制御する表示制御部とを備え、
前記表示制御部は、前記入力処理において入力した前記測定値を前記表示部に表示させる請求項１から５のいずれかに記載の携帯型端末装置。
【請求項７】
前記表示制御部は、前記撮像部によって撮像されている画像を前記入力処理において入力した前記測定値と共に前記表示部に表示させる請求項６記載の携帯型端末装置。
【請求項８】
測定装置との間で通信可能な通信部と、前記測定装置によって測定された被測定量の測定値を前記通信部を介して入力する入力処理を実行する処理部と、撮像用のアプリケーションプログラムが起動されている状態において撮像を実行する撮像部と、前記撮像部によって撮像されている画像を画像記憶操作がされたときに記憶部に記憶させる記憶制御部とを備えた携帯型端末装置における前記処理部に前記入力処理を実行させる処理プログラムであって、
前記アプリケーションプログラムを起動する起動操作がされたときに、前記処理部に前記入力処理を実行させる処理プログラム。
【請求項９】
測定装置との間で通信可能な通信部と、前記測定装置によって測定された被測定量の測定値を前記通信部を介して入力する入力処理を実行する処理部と、撮像用のアプリケーションプログラムが起動されている状態において撮像を実行する撮像部と、前記撮像部によって撮像されている画像を画像記憶操作がされたときに記憶部に記憶させる記憶制御部とを備えた携帯型端末装置における前記処理部に前記入力処理を実行させる処理プログラムであって、
前記画像記憶操作がされたときに、前記処理部に前記入力処理を実行させる処理プログラム。
【発明の詳細な説明】
【技術分野】
【０００１】
本発明は、測定装置によって測定された測定値を通信部を介して入力する入力処理を実行する処理部を備えた携帯型端末装置、およびその入力処理を処理部に実行させる処理プログラムに関するものである。
【背景技術】
【０００２】
この種の装置として、下記特許文献１に開示された遠隔操作システムが知られている。この遠隔操作システムは、測定装置（光パルス試験機）を無線で操作（遠隔操作）する機能が組み込まれた携帯電話を備えて構成されている。具体的には、この遠隔操作システムでは、携帯電話が測定装置に対して測定データの送信を指示する指令を送信したときに、測定装置がその指令に従って測定データを携帯電話に送信し、携帯電話が測定データを入力して測定データに基づく画像を表示部に表示させる。また、出願人は、上記した遠隔操作の機能を組み込んだカメラ付きの携帯型端末装置（例えば、スマートフォン）を既に開発している。この携帯型端末装置では、例えば、測定装置から測定データを携帯型端末装置に入力して記憶させると共に、測定値を表示している測定装置の表示画面を撮像することができるため、作業終了後に測定データや撮像画像を用いて報告書を作成する際の利便性を向上させることが可能となっている。
【先行技術文献】
【特許文献】
【０００３】
【特許文献１】特開２０１１−１７６５３０号公報（第６−８頁、第１図）
【発明の概要】
【発明が解決しようとする課題】
【０００４】
ところが、出願人が既に開発している上記の携帯型端末装置には、改善すべき以下の課題が存在する。具体的には、上記の携帯型端末装置では、測定データを入力する際には、測定装置に対して測定データの送信を指示する操作（送信指示操作）を行う必要がある。また、この携帯型端末装置では、撮像を行う際には、撮像プログラムの起動を指示する操作（起動操作）を行う必要がある。つまり、この携帯型端末装置では、上記したように、測定データの入力と測定装置の撮像との双方を行う際には、送信指示操作および起動操作の２つの操作を行う必要があり、操作性が悪いという課題が存在する。
【０００５】
本発明は、かかる課題を解決すべくなされたものであり、測定装置によって測定された測定値を入力する際の操作性を向上し得る携帯型端末装置および処理プログラムを提供することを主目的とする。
【課題を解決するための手段】
【０００６】
上記目的を達成すべく請求項１記載の携帯型端末装置は、測定装置との間で通信可能な通信部と、前記測定装置によって測定された被測定量の測定値を前記通信部を介して入力する入力処理を実行する処理部と、撮像用のアプリケーションプログラムが起動されている状態において撮像を実行する撮像部と、前記撮像部によって撮像されている画像を画像記憶操作がされたときに記憶部に記憶させる記憶制御部とを備えた携帯型端末装置であって、前記処理部は、前記アプリケーションプログラムを起動する起動操作がされたときに、前記入力処理を実行する。なお、本願における「撮像」は、被写体の光学像を電気信号（画像データ）に変換する処理を意味し、撮像した画像（変換した画像データ）を記憶部に記憶させる処理を含まないものとする。
【０００７】
また、請求項２記載の携帯型端末装置は、測定装置との間で通信可能な通信部と、前記測定装置によって測定された被測定量の測定値を前記通信部を介して入力する入力処理を実行する処理部と、撮像用のアプリケーションプログラムが起動されている状態において撮像を実行する撮像部と、前記撮像部によって撮像されている画像を画像記憶操作がされたときに記憶部に記憶させる記憶制御部とを備えた携帯型端末装置であって、前記処理部は、前記画像記憶操作がされたときに、前記入力処理を実行する。
【０００８】
また、請求項３記載の携帯型端末装置は、請求項１または２記載の携帯型端末装置において、前記処理部は、前記入力処理において入力した前記測定値を前記画像記憶操作がされたときに前記記憶部に記憶させる。
【０００９】
また、請求項４記載の携帯型端末装置は、請求項３記載の携帯型端末装置において、前記処理部は、前記画像記憶操作がされたときに、前記測定値をホールドするホールド状態に移行させるホールド指示信号を前記測定装置に出力すると共に、前記測定装置によってホールドされている前記測定値を前記入力処理において入力して前記記憶部に記憶させる。
【００１０】
また、請求項５記載の携帯型端末装置は、請求項４記載の携帯型端末装置において、前記処理部は、前記ホールド状態の解除を指示するホールド解除信号を前記画像記憶操作がされたときに前記ホールド指示信号の出力に先立って前記測定装置に出力する。
【００１１】
また、請求項６記載の携帯型端末装置は、請求項１から５のいずれかに記載の携帯型端末装置において、表示部と、当該表示部を制御する表示制御部とを備え、前記表示制御部は、前記入力処理において入力した前記測定値を前記表示部に表示させる。
【００１２】
また、請求項７記載の携帯型端末装置は、請求項６記載の携帯型端末装置において、前記表示制御部は、前記撮像部によって撮像されている画像を前記入力処理において入力した前記測定値と共に前記表示部に表示させる。
【００１３】
また、請求項８記載の処理プログラムは、測定装置との間で通信可能な通信部と、前記測定装置によって測定された被測定量の測定値を前記通信部を介して入力する入力処理を実行する処理部と、撮像用のアプリケーションプログラムが起動されている状態において撮像を実行する撮像部と、前記撮像部によって撮像されている画像を画像記憶操作がされたときに記憶部に記憶させる記憶制御部とを備えた携帯型端末装置における前記処理部に前記入力処理を実行させる処理プログラムであって、前記アプリケーションプログラムを起動する起動操作がされたときに、前記処理部に前記入力処理を実行させる。
【００１４】
また、請求項９記載の処理プログラムは、測定装置との間で通信可能な通信部と、前記測定装置によって測定された被測定量の測定値を前記通信部を介して入力する入力処理を実行する処理部と、撮像用のアプリケーションプログラムが起動されている状態において撮像を実行する撮像部と、前記撮像部によって撮像されている画像を画像記憶操作がされたときに記憶部に記憶させる記憶制御部とを備えた携帯型端末装置における前記処理部に前記入力処理を実行させる処理プログラムであって、前記画像記憶操作がされたときに、前記処理部に前記入力処理を実行させる。
【発明の効果】
【００１５】
請求項１記載の携帯型端末装置、および請求項８記載の処理プログラムによれば、測定値を入力する入力処理を、撮像用のアプリケーションプログラムを起動する起動操作がされたときに処理部に実行させることにより、例えば、測定値の入力と測定装置の撮像とを行う際に、送信指示操作（測定値の送信を指示する操作）および起動操作の２つの操作を行う必要がある従来の携帯型端末装置とは異なり、起動操作だけで測定値の入力と測定装置の撮像とを行うことができる。したがって、この携帯型端末装置および処理プログラムによれば、従来の携帯型端末装置と比較して、操作性を十分に向上させることができる。
【００１６】
また、請求項２記載の携帯型端末装置、および請求項９記載の処理プログラムによれば、測定値を入力する入力処理を、画像記憶操作がされたときに処理部に実行させることにより、例えば、測定値の入力と測定装置を撮像した画像の記憶部への記憶とを行う際に、送信指示操作（測定値の送信を指示する操作）および画像記憶操作の２つの操作を行う必要がある従来の携帯型端末装置とは異なり、画像記憶操作だけで測定値の入力と測定装置を撮像した画像の記憶部への記憶とを行うことができる。したがって、この携帯型端末装置および処理プログラムによれば、従来の携帯型端末装置と比較して、操作性を十分に向上させることができる。
【００１７】
また、請求項３記載の携帯型端末装置によれば、入力処理において入力した測定値を画像記憶操作がされたときに記憶部に記憶させることにより、入力した測定値を記憶部に記憶させる処理と測定装置を撮像した画像を記憶部に記憶させる処理とを画像記憶操作だけで行うことができるため、操作性をさらに向上させることができる。
【００１８】
また、請求項４記載の携帯型端末装置によれば、ホールド状態に移行させるホールド指示信号を画像記憶操作がされたときに測定装置に出力すると共に、測定装置によってホールドされている測定値を入力処理において入力して記憶部に記憶させることにより、測定装置の表示部に表示される測定値と、入力処理によって入力した測定値とを一致させることができる。このため、この携帯型端末装置および処理プログラムによれば、例えば、測定値を表示している測定装置の表示部を撮像したときに、画像内に表示されている測定値と、入力した測定値とが異なるという不都合を確実に回避することができる。
【００１９】
また、請求項５記載の携帯型端末装置によれば、ホールド状態の解除を指示するホールド解除信号を画像記憶操作がされたときにホールド指示信号の出力に先立って測定装置に出力することにより、例えば、画像記憶操作がされる以前に測定装置がホールド状態となっている場合であっても、そのホールド状態を一旦解除させ、その後にホールド状態に移行させることができるため、画像記憶操作がされた時点以後の最新の測定値をホールドさせて、その測定値を入力することができる。
【００２０】
また、請求項６記載の携帯型端末装置によれば、入力処理において入力した測定値を表示部に表示させることにより、入力した測定値を容易に確認することができるため、利便性を向上させることができる。
【００２１】
また、請求項７記載の携帯型端末装置によれば、撮像部によって撮像されている画像を入力処理において入力した測定値と共に表示部に表示させることにより、測定装置の表示部に表示されている測定値と、入力した測定値とが同一であるか否かを表示部に表示されている画像を見ることで容易に確認することができるため、利便性をさらに向上させることができる。
【図面の簡単な説明】
【００２２】
【図１】携帯端末１の構成を示す構成図である。
【図２】携帯端末１および測定装置１００の斜視図である。
【図３】入力制御処理５０のフローチャートである。
【図４】携帯端末１の使用方法を説明する説明図である。
【図５】入力制御処理７０のフローチャートである。
【発明を実施するための形態】
【００２３】
以下、携帯型端末装置および処理プログラムの実施の形態について、添付図面を参照して、説明する。
【００２４】
最初に、携帯型端末装置の一例としての図１に示す携帯型端末装置１（以下、「携帯端末１」ともいう）の構成について説明する。携帯端末１は、一例としてスマートフォンであって、同図に示すように、操作部１１、通信部１２、ＧＰＳ（Global Positioning System）受信部１３、撮像部１４、バッファ１５、記憶部１６、表示部１７および処理部１８を備え、各種の処理を実行する端末として機能するように構成されている。また、携帯端末１は、図外の音声通信部を備えて、電話機としても機能するように構成されている。
【００２５】
操作部１１は、各種の操作ボタン（図示せず）を備えて構成され、これらのボタンが操作されたときに操作信号を出力する。また、操作部１１は、表示部１７（図２参照）の表面側に配設された図外のタッチパネルを備えており、タッチパネルに対する操作（タッチ操作）が行われたときにも操作信号を出力する。この場合、この携帯端末１では、操作ボタンやタッチパネルを用いることにより、各種の指示操作、通話の操作および各種の設定操作を行うことが可能となっている。
【００２６】
通信部１２は、処理部１８の制御に従って測定装置（一例として、図１，２に示す測定装置１００）との間で通信を行い、測定装置１００との間で各種の信号（後述する出力指示信号Ｓｏ、ホールド解除信号Ｓｒおよびホールド指示信号Ｓｈ）や測定データＤｄを送受信する。この場合、この携帯端末１では、通信用ケーブル２１（図２参照）を用いた有線通信で通信部１２と測定装置１００とを接続したり、ブルートゥース（登録商標）等の各種規格の無線通信で通信部１２と測定装置１００とを接続したりすることが可能となっている。
【００２７】
ＧＰＳ受信部１３は、処理部１８の制御に従って携帯端末１の位置を測位すると共に、測位した位置を示す位置データＤｐを出力する。
【００２８】
撮像部１４は、記憶部１６に記憶されている撮像用のアプリケーションプログラムとしての撮像プログラムＰｉが起動している状態において、処理部１８の制御に従って被写体を撮像して画像データＤｇ（例えば、図４に示す画像Ｇについての画像データＤｇ）を出力する撮像処理を実行する。
【００２９】
バッファ１５は、一例としてリングバッファであって、通信部１２を介して入力した測定データＤｄを処理部１８の制御に従って一時的に保持（一時的に記憶）する。
【００３０】
記憶部１６は、携帯端末１の基本動作を制御するオペレーティングシステムを記憶する。また、携帯端末１に実行させる各処理に対応する複数のアプリケーションプログラムを記憶する。この場合、記憶部１６は、アプリケーションプログラムとて、撮像部１４に撮像処理を実行させる撮像プログラムＰｉ、および処理部１８に対して後述する入力制御処理５０（図３参照）を実行させる処理プログラムＰａを記憶する。また、記憶部１６は、処理部１８の制御に従ってバッファ１５に一時的に保持されている測定データＤｄを記憶する。また、記憶部１６は、処理部１８の制御に従って撮像部１４から出力された画像データＤｇを記憶する。さらに、記憶部１６は、処理部１８の制御に従い、ＧＰＳ受信部１３から出力された位置データＤｐ、および測定データＤｄを記憶させた日時を示す日時データＤｔを記憶する。
【００３１】
表示部１７は、処理部１８の制御に従って各種の画像Ｇ（図４参照）を表示する。
【００３２】
処理部１８は、記憶部１６に記憶されているオペレーティングシステムに従って携帯端末１を構成する各部を制御する。また、処理部１８は、処理プログラムＰａに従って図３に示す入力制御処理５０を実行する。また、処理部１８は、記憶制御部として機能し、操作部１１を用いた画像記憶操作（シャッター操作）がされたときに、撮像部１４から出力されている画像データＤｇ（撮像部１４によって撮像されている画像）を記憶部１６に記憶させる。また、処理部１８は、表示制御部として機能し、表示部１７による画像Ｇの表示を制御する。
【００３３】
次に、携帯端末１の使用方法、および携帯端末１の動作について、図面を参照して説明する。一例として、図２に示すように、測定対象としての電線２００に流れる被測定量としての電流を測定装置１００を用いて測定する際の携帯端末１の使用方法および動作について説明する。
【００３４】
測定に先立ち、携帯端末１の通信部１２と測定装置１００とを接続する。この場合、一例として、図２に示すように、通信部１２と測定装置１００とを通信用ケーブル２１で接続する。なお、通信部１２と測定装置１００とを無線通信で接続することもできる。
【００３５】
次いで、測定装置１００を操作して測定の開始を指示し、これに応じて、測定装置１００が電線２００に流れる電流を測定する。この場合、測定装置１００は、予め規定された規定時間Ｔ１毎に（規定時間Ｔ１の周期で）電流を測定し、測定した測定値Ｉｄを規定時間Ｔ１毎に更新しつつ表示部１０１（図４参照）に表示させる。
【００３６】
ここで、例えば、測定装置１００によって測定された電流の測定値Ｉｄを入力して記憶させると共に、表示部１０１に測定値Ｉｄを表示している状態の測定装置１００を撮像する際には、携帯端末１の操作部１１を操作して、処理プログラムＰａの起動を指示する。この際に、操作部１１が操作信号を出力し、処理部１８が操作信号に従って記憶部１６から処理プログラムＰａを読み出して起動し、処理プログラムＰａに従って図３に示す入力制御処理５０を実行する。
【００３７】
この入力制御処理５０では、処理部１８は、まず、撮像プログラムＰｉの起動指示の操作がされたか否かの判別を繰り返して実行する（ステップ５１）。
【００３８】
次いで、図２に示すように、表示部１０１を含む測定装置１００の正面側が撮像部１４の撮像範囲に含まれるように、携帯端末１の撮像部１４（レンズ部分）を測定装置１００に対向させ、続いて、操作部１１を操作して、撮像プログラムＰｉの起動を指示する。この際に、処理部１８は、上記したステップ５１において撮像プログラムＰｉの起動指示の操作がされたと判別し、次いで、記憶部１６から撮像プログラムＰｉを読み出して起動し、撮像部１４に撮像処理を実行させる（ステップ５２）。この撮像処理では、撮像部１４は、被写体としての測定装置１００を撮像して画像データＤｇを出力する。また、処理部１８は、画像データＤｇに基づく画像Ｇを表示部１７に表示させる。
【００３９】
次いで、処理部１８は、測定装置１００から測定値Ｉｄを入力（取得）する入力処理を実行する（ステップ５３）。この入力処理では、処理部１８は、通信部１２を制御して出力指示信号Ｓｏを測定装置１００に送信させる。続いて、測定装置１００が測定値Ｉｄを示す測定データＤｄを出力し、処理部１８が通信部１２を介して測定データＤｄを入力する。また、処理部１８は、入力した測定データＤｄをバッファ１５に保持させる。また、処理部１８は、撮像部１４によって撮像されている画像Ｇ（画像データＤｇに基づく画像Ｇ）内の測定値表示領域Ａに、測定データＤｄによって特定される測定値Ｉｄを表示させる（図４参照）。
【００４０】
この場合、従来の携帯端末では、測定データＤｄの入力と測定装置１００の撮像とを行う際には、測定データＤｄの送信を指示する送信指示操作、および撮像プログラムＰｉを起動させる操作の２つの操作を行う必要があり操作が煩雑である。これに対して、この携帯端末１では、上記したように、撮像プログラムＰｉが起動したときに、処理部１８が入力処理を実行する。つまり、この携帯端末１では、撮像プログラムＰｉの起動を指示する操作だけで、測定データＤｄを入力することができる。このため、この携帯端末１では、操作性を十分に向上させることが可能となっている。
【００４１】
次いで、処理部１８は、操作部１１を用いた画像記憶操作（シャッター操作）がされたか否かを判別する（ステップ５４）。この場合、処理部１８は、画像記憶操作がされていないと判別したときには、入力処理（ステップ５３）を実行した後に、画像記憶操作がされたか否かの判別（ステップ５４）を再び行う。つまり、処理部１８は、画像記憶操作がされたと判別するまで入力処理を繰り返して実行する。続いて、作業者が操作部１１を用いて画像記憶操作を行ったときには、処理部１８は、ステップ５４において画像記憶操作がされたと判別する。
【００４２】
ここで、測定装置１００が、ホールド操作がされたときに規定時間Ｔ１毎の測定（更新）を停止してホールド操作の直前に測定した測定値Ｉｄをホールドするホールド機能を有している場合において、画像記憶操作が行われる以前に測定装置１００がホールド状態となっているときには、処理部１８が入力した測定値Ｉｄが画像記憶操作が行わたときの最新の測定値Ｉｄとは異なる可能性がある。このような事態を回避するため、処理部１８は、ステップ５４において画像記憶操作がされたと判別したときには、通信部１２を制御して、ホールド状態の開示を指示するホールド解除信号Ｓｒを測定装置１００に送信させる（ステップ５５）。この場合、測定装置１００は、ホールド状態となっているときには、ホールド解除信号Ｓｒに従ってホールド状態を解除して規定時間Ｔ１毎の測定を再開し、ホールド状態となっていないときには、規定時間Ｔ１毎の測定を継続する。
【００４３】
続いて、処理部１８は、通信部１２を制御して、ホールド状態への移行を指示するホールド指示信号Ｓｈを測定装置１００に送信させる（ステップ５６）。次いで、測定装置１００は、ホールド状態に移行して規定時間Ｔ１毎の測定を停止すると共に、ホールド状態に移行する直前に測定した測定値Ｉｄをホールドする。
【００４４】
続いて、処理部１８は、上記したステップ５３で実行した入力処理と同じ入力処理を実行する（ステップ５７）。この場合、測定装置１００からは、ホールド状態に移行する直前に測定した測定値Ｉｄ（一例として、図４に示す「２．１Ａ」）を示す測定データＤｄが出力され、処理部１８は、その測定データＤｄを入力する。また、処理部１８は、入力した測定データＤｄをバッファ１５に保持させると共に、同図に示すように、撮像部１４によって撮像されている画像Ｇ内（例えば、同図に示す測定値表示領域Ａ）に測定値Ｉｄを表示させる。この場合、上記したように、この時点では、測定装置１００がホールド状態に移行している。このため、同図に示すように、測定装置１００の表示部１０１に表示されている測定値Ｉｄ（測定装置１００を撮像した画像Ｇ内の表示部１０１に表示されている測定値Ｉｄ）と、入力した測定データＤｄによって示される測定値Ｉｄ（画像Ｇ内の測定値表示領域Ａに表示されている測定値Ｉｄ）とが一致している。
【００４５】
次いで、処理部１８は、画像データＤｇ（図４に示す画像Ｇについての画像データＤｇ）を記憶部１６に記憶させる（ステップ５８）。続いて、処理部１８は、バッファ１５が保持している最新の測定データＤｄ（つまり、ホールド状態における測定値Ｉｄを示す測定データＤｄ）を記憶部１６に記憶させる（ステップ５９）。また、処理部１８は、このステップ５９において、現在の日時（測定データＤｄを記憶させた日時）を示す日時データＤｔを記憶部１６に記憶させると共に、ＧＰＳ受信部１３を制御して携帯端末１の位置を示す位置データＤｐを出力させてその位置データＤｐを記憶部１６に記憶させる。
【００４６】
次いで、処理部１８は、上記した測定値Ｉｄを入力して記憶する処理や測定装置１００を撮像する処理（ステップ５３〜５９の処理）の再実行を指示する操作（再実行の指示操作）が予め規定された規定時間Ｔ２内にされたか否かを判別する（ステップ６０）。この場合、処理部１８は、規定時間Ｔ２内に再実行の指示操作がされたと判別したときには、上記したステップ５３〜５９を実行する。また、処理部１８は、規定時間Ｔ２内に再実行の指示操作がされないと判別したときには、通信部１２を制御してホールド解除信号Ｓｒを測定装置１００に送信させ（ステップ６１）、続いて、撮像プログラムＰｉを終了して（ステップ６２）、入力制御処理５０を終了する。
【００４７】
このように、この携帯端末１および処理プログラムＰａによれば、測定値Ｉｄを示す測定データＤｄを測定装置１００から入力する入力処理を、撮像プログラムＰｉを起動する起動操作がされたときに処理部１８に実行させることにより、測定データＤｄの入力と測定装置１００の撮像とを行う際に、送信指示操作および起動操作の２つの操作を行う必要がある従来の携帯端末とは異なり、起動操作だけで測定データＤｄの入力と測定装置１００の撮像とを行うことができる。したがって、この携帯端末１および処理プログラムＰａによれば、従来の携帯端末と比較して、操作性を十分に向上させることができる。
【００４８】
また、この携帯端末１および処理プログラムＰａによれば、入力処理において入力した測定値Ｉｄを示す測定データＤｄを画像記憶操作（シャッター操作）がされたときに記憶部１６に記憶させることにより、入力した測定データＤｄを記憶部１６に記憶させる処理と測定装置１００を撮像した画像Ｇの画像データＤｇを記憶部１６に記憶させる処理とを画像記憶操作（１回の操作）だけで行うことができるため、操作性をさらに向上させることができる。
【００４９】
また、この携帯端末１および処理プログラムＰａによれば、画像記憶操作（シャッター操作）がされたときに、ホールド状態に移行させるホールド指示信号Ｓｈを測定装置１００に出力すると共に、ホールドされている測定値Ｉｄを示す測定データＤｄを入力処理において入力して記憶部１６に記憶させることにより、測定装置１００の表示部１０１に表示される測定値Ｉｄと、入力処理によって入力した測定データＤｄの測定値Ｉｄとを一致させることができる。このため、この携帯端末１および処理プログラムＰａによれば、例えば、測定値Ｉｄを表示している測定装置１００の表示部１０１を撮像したときに、画像Ｇ内に表示されている測定値Ｉｄと、入力した測定データＤｄによって示される測定値Ｉｄとが異なるという不都合を確実に回避することができる。
【００５０】
また、この携帯端末１および処理プログラムＰａによれば、ホールド状態の解除を指示するホールド解除信号Ｓｒを画像記憶操作（シャッター操作）がされたときにホールド指示信号Ｓｈの出力に先立って測定装置１００に出力することにより、例えば、画像記憶操作がされる以前に測定装置１００がホールド状態となっている場合であっても、そのホールド状態を一旦解除させ、その後にホールド状態に移行させることができるため、画像記憶操作がされた時点以後の最新の測定値Ｉｄをホールドさせて、その測定値Ｉｄを示す測定データＤｄを入力することができる。
【００５１】
また、この携帯端末１および処理プログラムＰａによれば、入力処理において入力した測定データＤｄに基づく測定値Ｉｄを表示部１７に表示させることにより、入力した測定データＤｄの測定値Ｉｄを容易に確認することができるため、利便性を向上させることができる。
【００５２】
また、この携帯端末１および処理プログラムＰａによれば、撮像部１４によって撮像されている画像Ｇを入力処理において入力した測定データＤｄに基づく測定値Ｉｄと共に処理部１８に表示させることにより、測定装置１００の表示部１０１に表示されている測定値Ｉｄと、入力した測定データＤｄの測定値Ｉｄとが同一であるか否かを表示部１７に表示されている画像Ｇを見ることで容易に確認することができるため、利便性をさらに向上させることができる。
【００５３】
なお、携帯型端末装置および処理プログラムは、上記の構成に限定されない。例えば、上記した入力制御処理５０に代えて、図５に示す入力制御処理７０を処理部１８に実行させる構成を採用することもできる。この構成では、処理部１８は、同図に示すように、入力制御処理５０のステップ５１，５２に相当するステップ７１，７２を実行した後に、入力処理（入力制御処理５０のステップ５３）を実行することなく、画像記憶操作（シャッター操作）がされたか否かを判別する処理（入力制御処理５０のステップ５４に相当するステップ７３）を画像記憶操作がされたと判別するまで繰り返して実行する。次いで、処理部１８は、画像記憶操作がされたと判別したときには、入力制御処理５０のステップ５５〜６２に相当するステップ７４〜８１を実行する。つまり、この入力制御処理７０では、処理部１８は、撮像プログラムＰｉが起動した時点では入力処理を実行することなく、画像記憶操作（シャッター）がされたときに、入力処理を実行する。この入力制御処理７０を処理部１８に実行させる構成によれば、画像記憶操作だけで測定データＤｄの入力と画像データＤｇの記憶部１６への記憶とを行うことができるため、従来の携帯端末と比較して、操作性を十分に向上させることができる。また、この構成においても、入力制御処理５０と同様の処理（ステップ５３を除く各ステップ）を処理部１８が実行することにより、携帯端末１が有する上記の各効果（画像Ｇ内に表示されている測定値Ｉｄと入力した測定データＤｄによって示される測定値Ｉｄとが異なる不都合の回避、最新の測定値Ｉｄを示す測定データＤｄの入力、および利便性の向上）を実現することができる。
【００５４】
また、入力している測定データＤｄを画像記憶操作（シャッター操作）がされたときに記憶部１６に記憶させる例について上記したが、入力している測定データＤｄを画像記憶操作とは別の操作（例えば、表示部１７に表示させた記憶指示用の操作ボタン画像の表示部分に対するタッチ操作など）で記憶部１６に記憶させる構成を採用することもできる。
【００５５】
また、画像記憶操作（シャッター操作）がされたときにホールド解除信号Ｓｒやホールド指示信号Ｓｈを測定装置１００に出力する例について上記したが、これらの信号Ｓｈ，Ｓｒのいずれか一方または双方を出力しない構成を採用することもできる。
【００５６】
また、撮像部１４によって撮像されている画像Ｇを測定値Ｉｄと共に処理部１８に表示させる例について上記したが、撮像されている画像Ｇと測定値Ｉｄとを例えば切り替え操作に応じて切り替えて表示する構成を採用することもできる。また、測定データＤｄを記憶するだけで、測定データＤｄによって示される測定値Ｉｄを表示させない構成を採用することもできる。
【００５７】
また、通信部１２と測定装置１００とを通信用ケーブル２１で接続する例について上記したが、通信部１２と測定装置１００とを無線通信で接続することもできる。
【００５８】
また、被測定量としての電流を測定する測定装置１００から測定値Ｉｄ（測定データＤｄ）を入力する際に適用する例について上記したが、電流以外の他の被測定量（例えば、電圧、電力、抵抗値等）を測定する各種の測定装置から測定値を入力する際に適用することができる。
【００５９】
また、表示部１７を備え、その表示部１７に画像Ｇや測定値Ｉｄを表示させる例について上記したが、外部の表示部に画像Ｇや測定値Ｉｄを表示させる構成（表示部１７を備えていない構成）を採用することもできる。
【符号の説明】
【００６０】
１  携帯型端末
１  携帯端末
１１  操作部
１３  通信部
１４  撮像部
１６  記憶部
１７  表示部
１８  処理部
１００  測定装置
Ａ  測定値表示領域
Ｄｄ  測定データ
Ｄｇ  画像データ
Ｇ  画像
Ｉｄ  測定値
Ｐａ  処理プログラム
Ｐｉ  撮像プログラム
Ｓｈ  ホールド指示信号
Ｓｒ  ホールド解除信号
【図１】
2018087792.tif 000003
【図２】
2018087792.tif 000004
【図３】
2018087792.tif 000005
【図４】
2018087792.tif 000006
【図５】
2018087792.tif 000007